(57)【要約】【課題】電子レシートを屋外で容易に閲覧する。【解決手段】電子的な決済を行なう決済処理装置とで電子的な決済を行なうと、決済処理を行なった内容を示す電子レシートから所定の内容を抽出して作成された簡易決済情報と、ネットワークを介して接続された電子レシートを記録する電子レシートサーバから電子レシートをダウンロードするための識別情報とを受信し、この受信した簡易決済情報及び識別情報を関連付けて記録し、この記録されている簡易決済情報を表示し（Ｓ２０２）、この表示された簡易決済情報のうちから選択された簡易決済情報に関連付けられた情報記録手段に記録された識別情報を用いて電子レシートサーバから電子レシートをダウンロードして記録し（Ｓ２０６）、この記録した電子レシートを表示する（Ｓ２０７）。【選択図】図８
2007316749.tif 000002
【特許請求の範囲】
【請求項１】
電子的な決済を行なう決済処理装置とで電子的な決済を行なうと、決済処理を行なった内容を示す電子レシートから所定の内容を抽出して作成された簡易決済情報とネットワークを介して接続された電子レシートを記録する電子レシートサーバから前記電子レシートをダウンロードするための識別情報とを受信する受信手段と、
この受信手段で受信した簡易決済情報及び識別情報を関連付けて記録する情報記録手段と、
この情報記録手段に記録されている簡易決済情報を表示する簡易決済情報表示手段と、
この簡易決済情報表示手段で表示された簡易決済情報のうちから選択された簡易決済情報に関連付けられた前記情報記録手段に記録された識別情報を用いて前記電子レシートサーバから電子レシートをダウンロードして記録する電子レシート記録手段と、
この電子レシート記録手段に記録した電子レシートを表示する電子レシート表示手段とを具備することを特徴とする携帯端末装置。
【請求項２】
少なくとも前記電子レシート記録手段に記録される電子レシートと対応する簡易決済情報を前記電子レシートと対応付けて記録する簡易決済情報記録手段と、
この簡易決済情報記録手段に記録された簡易決済情報を表示する情報表示手段と、
この情報表示手段に表示された簡易決済情報のうちから選択された簡易決済情報と対応する電子レシートを表示する表示手段と、
この表示手段で表示された電子レシートで示される商品が選択されると、その選択された商品に対して予め設定された関連情報を表示する商品情報表示手段とをさらに具備することを特徴とする請求項１記載の携帯端末装置。
【請求項３】
コンピュータに、
電子的な決済を行なう決済処理装置とで電子的な決済を行わせると、決済処理を行なった内容を示す電子レシートから所定の内容を抽出して作成させた簡易決済情報とネットワークを介して接続された電子レシートを記録する電子レシートサーバから前記電子レシートをダウンロードするための識別情報とを受信させる受信機能と、
この受信機能で受信させた簡易決済情報及び識別情報を関連付けて記録させる情報記録機能と、
この情報記録機能に記録させている簡易決済情報を表示させる簡易決済情報表示機能と、
この簡易決済情報表示機能で表示させた簡易決済情報のうちから選択された簡易決済情報に関連付けられた前記情報記録機能で記録させた識別情報を用いて前記電子レシートサーバから電子レシートをダウンロードさせて記録させる電子レシート記録機能と、
この電子レシート記録機能で記録させた電子レシートを表示させる電子レシート表示機能とを実現させる携帯端末プログラム。
【請求項４】
少なくとも前記電子レシート記録機能で記録させる電子レシートと対応する簡易決済情報を前記電子レシートと対応付けて記録させる簡易決済情報記録機能と、
この簡易決済情報記録機能で記録させた簡易決済情報を表示させる情報表示機能と、
この情報表示機能で表示させた簡易決済情報のうちから選択された簡易決済情報と対応する電子レシートを表示させる表示機能と、
この表示機能で表示させた電子レシートで示される商品が選択されると、その選択された商品に対して予め設定された関連情報を表示させる商品情報表示機能とをさらに実現させる請求項３記載の携帯端末プログラム。
【発明の詳細な説明】
【技術分野】
【０００１】
本発明は、携帯端末装置及び携帯端末プログラムに関する。
【背景技術】
【０００２】
赤外線やＢｌｕｅｔｏｏｔｈ（登録商標）、非接触ＩＣカードなど多様な外部無線インターフェースが携帯電話に搭載されるようになり、それを応用して携帯電話で代金の支払い、会員カードデータの交換、クーポンの授受などを行う決済アプリケーションが登場してきている。その中で、決済時に店舗から買物客に渡されるレシートまたは領収書を電子的に来店客の携帯電話に受け渡す、ということが検討されてきている。レシートを電子データにすることによって家計簿も電子的に自動的に簿記できるなど買物客にとって有益であるだけでなく、レシートを電子出力に限ればレシート用紙の消費も減らせるなど、店舗にとっても有益であり、今後技術の導入が進むことが見込まれる。
【０００３】
電子レシートは従来の紙レシートの紙面のように情報の掲載量に関する制約が少ないため、消費者に対する情報提供や消費の喚起を目的として従来の紙レシート以上の情報量を持った商品情報や広告情報を提供することが可能である。例えば電子レシートに付帯情報を付加し、その電子レシートを電子家計簿の記帳に利用するためにパーソナルコンピュータに転送したあとで、そのパーソナルコンピュータ上でその付帯情報を参照できるようにしている（例えば、特許文献１参照）。
【特許文献１】特開２００５−１４１６４９号公報
【発明の開示】
【発明が解決しようとする課題】
【０００４】
特許文献１に記載された電子レシートシステムでは電子レシートに記録された付帯情報をパーソナルコンピュータに転送することで見られるようになるが、パーソナルコンピュータは一般に外に持ち出すには重いため、この方式ではこれら付加価値をもった情報に消費者がアクセスするのは主に屋内となってしまう。例えば買った商品が屋外で利用するもので、先の商品情報がその商品のトラブル解決のための情報を提供するような情報であった場合、屋外で利用するその商品のための情報にすぐアクセスできないということになる。
【０００５】
本発明は上記事情に鑑みてなされたものであって、その目的は、電子レシートを屋外で容易に閲覧することができる携帯端末装置及び携帯端末プログラムを提供することにある。
【課題を解決するための手段】
【０００６】
本発明は、電子的な決済を行なう決済処理装置とで電子的な決済を行なうと、決済処理を行なった内容を示す電子レシートから所定の内容を抽出して作成された簡易決済情報とネットワークを介して接続された電子レシートを記録する電子レシートサーバから電子レシートをダウンロードするための識別情報とを受信し、この受信した簡易決済情報及び識別情報を関連付けて記録し、この記録されている簡易決済情報を表示し、この表示された簡易決済情報のうちから選択された簡易決済情報に関連付けられた情報記録手段に記録された識別情報を用いて電子レシートサーバから電子レシートをダウンロードして記録し、この記録した電子レシートを表示する携帯端末装置である。
【発明の効果】
【０００７】
本発明によると、電子レシートを屋外で容易に閲覧することができる携帯端末装置及び携帯端末プログラムを提供できる。
【発明を実施するための最良の形態】
【０００８】
以下、本発明の一実施の形態について図面を参照して説明する。  
図１は本実施の形態におけるネットワークシステムの構成全体を示す構成図である。図１に示すように、店舗１には、決済処理装置であるＰＯＳ端末装置２（図１では１つだが複数でも良い。）と、ルータ３とが設置されている。ＰＯＳ端末装置２とルータ３とは、店舗内ＬＡＮ４（ローカル  エリア  ネットワーク）によって接続されている。ルータ３は、店舗内ＬＡＮ４と公衆通信網であるインターネット５とを接続するための機器である。インターネット５にはＷｅｂサーバとして動作する電子レシートサーバ６が接続されている。また、インターネット５にはＷｅｂブラウザを実装してなる例えば携帯電話機、ＰＤＡ（パーソナル  デジタル  アシスタント）である携帯端末装置８と無線通信を行う基地局７も接続されている。さらに、インターネット５には、インターネット５を通してアクセスして商品情報を得るための商品情報提供サーバ９も接続されている。
【０００９】
かかる構成のネットワークシステムにおいては、店舗１のＰＯＳ端末装置２で携帯端末装置８との間で電子的な決済が行なわれて生成された決済の内容を示す電子レシートが、インターネット５を介して電子レシートサーバ６に伝送され、Ｗｅｂ上に公開される。したがって、Ｗｅｂブラウザを実装してなる携帯端末装置８でＵＲＬ（ユニフォーム  リソース  ロケータ）を指定することにより、Ｗｅｂ上に公開された電子レシートを携帯端末装置８等の通信端末にダウンロードし、Ｗｅｂブラウザで閲覧することができる。
【００１０】
以下、本実施の形態のシステムを構築する各部の構成について詳細に説明する。  
初めに、携帯端末装置８の要部構成を、図２のブロック図を用いて説明する。携帯端末装置８は、制御部本体を構成するＣＰＵ１１、データを一時的に記憶しておくための一時メモリ１２、ＣＰＵ１１からの命令で読み書きが可能であり、プログラムやデータ等が記録される記録部１３、インターネット５を含む公衆網に接続される公衆網接続インターフェース１４、非接触ＩＣカードを用いた近距離無線通信を行う非接触ＩＣカード通信インターフェース１５、上記非接触ＩＣカード通信インターフェース１５を介して送受する情報を格納するための非接触ＩＣカードメモリ１６、各種情報を表示可能な表示部１７、携帯端末装置８を操作するための入力部１８、時間を計時する時計部１９等で構成されている。
【００１１】
記録部１３には、Ｗｅｂ上に公開されている各種情報（コンテンツ）を閲覧するためのＷｅｂブラウザの他、電子決済を行うための電子決済対応プログラムＰ１と、電子決済後に生成される電子レシートを受け取るための電子レシート対応プログラムＰ２と、受け取った電子レシートを閲覧するための電子レシート閲覧プログラムＰ３と、上に記述されている商品情報提供サーバ９で提供される商品の商品情報を閲覧し関連商品を注文するための商品情報サイト閲覧プログラムＰ４とが予めインストールされている。
【００１２】
次に、ＰＯＳ端末装置２の要部構成を、図３のブロック図を用いて説明する。ＰＯＳ端末装置２は、制御部本体を構成するＣＰＵ２１、データを一時的に記憶しておくための一時メモリ２２、ＣＰＵ２１からの命令で読み書きが可能であり、プログラムやデータ等が記録される記録部２３、店舗内ＬＡＮ４に接続されるネットワークインターフェース２４、プリンタが着脱自在に接続されるプリンタインターフェース２５、非接触ＩＣカードを用いた近距離無線通信を行う非接触ＩＣカード通信インターフェース２６、上記非接触ＩＣカード通信インターフェース２６を介して送受する情報を格納するための非接触ＩＣカードメモリ２７、オペレータに対して各種情報を表示するためのオペレータ用表示部２８、時間を計時する時計部２９、客に対して種々の情報を表示するための客用表示部３０、ＰＯＳ端末装置２を操作するための入力部３１等で構成されている。
【００１３】
記録部２３には、各種のＰＯＳ業務を実行するためのソフトウェアの他、電子決済を処理するための電子決済処理プログラムＰ５と、電子レシートを処理するための電子レシート処理プログラムＰ６とが予めインストールされている。また、記録部２３には、電子レシートに記録するための商品名、価格、商品情報アクセス情報等のその商品に関する付加的な商品情報などが記録された商品データ管理領域２３ａも設けられている。
【００１４】
図４は、この商品データ管理領域２３ａに記録される商品情報の一例を示すテーブルＴ１である。図４に示すように、商品名である“赤ワイン７５０ｍｌ”には、価格“９８１”、商品情報アクセス情報“ｈｔｔｐ：／／ａｗｉｎｅｃｏｍｐａｎｙ．ｃｏ．ｊｐ／”が対応付けられて記録されている。商品情報アクセス情報は、当該商品情報アクセス情報と対応付けられた商品を購入することができるインターネット５上のサイト（この実施の形態では、商品情報提供サーバ９が提供するサイト）へリンクするために用いられる。
【００１５】
次に、電子レシートサーバ６の要部構成を、図５のブロック図を用いて説明する。電子レシートサーバ６は、制御部本体を構成するＣＰＵ４１、データを一時的に記憶しておくための一時メモリ４２、ＣＰＵ４１からの命令で読み書きが可能であり、プログラムやデータ等が記録される記録部４３、インターネット５に接続されるネットワークインターフェース４４等で構成されている。
【００１６】
記録部４３には、電子レシート情報をＷｅｂ上で公開するための領域として電子レシート管理領域４３ａが確保されている。また、ＰＯＳ端末装置２から受け取った電子レシート情報を上記電子レシート管理領域４３ａで保管するための電子レシート管理プログラムＰ７が予めインストールされている。
【００１７】
次に、商品情報提供サーバ９の要部構成を、図６のブロック図を用いて説明する。商品情報提供サーバ９は、制御部本体を構成するＣＰＵ５１、データを一時的に記憶しておくための一時メモリ５２、ＣＰＵ５１からの命令で読み書きが可能であり、プログラムやデータ等が記録される記録部５３、インターネット５に接続されるネットワークインターフェース５４等で構成されている。
【００１８】
記録部５３には、所定の商品の関連情報を携帯端末装置８へ送信するための商品情報送信プログラムＰ８が予めインストールされている。
【００１９】
さて、携帯端末装置８にインストールされている電子決済対応プログラムＰ１の要部処理手順を図７の流れ図に、電子レシート対応プログラムＰ２の要部処理手順を図８の流れ図にそれぞれ示す。また、ＰＯＳ端末装置２にインストールされている電子決済処理プログラムＰ５の要部処理手順を図９の流れ図に、電子レシート処理プログラムＰ６の要部処理手順を図１０の流れ図にそれぞれ示す。そして、ユーザが携帯端末装置８にインストールされている電子レシートを閲覧するときの電子レシート閲覧プログラムＰ３の要部処理手順を図１１の流れ図に示す。
【００２０】
まず、携帯端末装置８で電子決済を行う流れを図７の流れ図を使って説明する。電子決済を希望する客は、自己が所有する携帯端末装置８の入力部１８を操作して電子決済対応プログラムＰ１を起動し実行する（Ｓ１０１）。客は、自身が買い上げる商品の販売データがＰＯＳ端末装置２に登録処理され、その代金の支払いがＰＯＳ端末装置２を操作するキャッシャから要求されたならば、上記携帯端末装置８の非接触ＩＣカード通信インターフェース１５を当該ＰＯＳ端末装置２の非接触ＩＣカード通信インターフェース２６に近づける。ここで、上記電子決済対応プログラムＰ１が起動した携帯端末装置８のＣＰＵ１１は、非接触ＩＣカード通信インターフェース２６を搭載してなるＰＯＳ端末装置２との通信接続を監視している（Ｓ１０２）。そして、携帯端末装置８がＰＯＳ端末装置２に近付けられ、非接触ＩＣカード通信インターフェース１５との通信接続を開始したならば（Ｓ１０２でＹＥＳ）、ＣＰＵ１１は、非接触ＩＣカード通信インターフェース１５を介してＰＯＳ端末装置２に電子決済を開始する。すなわち、ＰＯＳ端末装置２が生成して非接触ＩＣカード通信インターフェース２６より送られてきた電子レシートダウンロード識別情報と簡易決済情報を受信する（Ｓ１０３，受信手段）。電子レシートダウンロード識別情報は、後述する処理によりＰＯＳ端末装置２から電子レシートサーバにアップロードされた電子レシートをダウンロードするために用いる情報であり、簡易決済情報は電子レシートから所定の情報を抽出した内容からなる情報である。それら電子レシートダウンロード識別情報と簡易決済情報は関連付けられ非接触ＩＣカードメモリ２７に記録され（Ｓ１０４，情報記録手段）、ＣＰＵ１１は電子レシート対応プログラムを起動する（Ｓ１０５）。
【００２１】
続いて携帯端末装置８内で起動された電子レシート対応プログラムＰ２の動きを図８の流れ図を使って説明する。起動された電子レシート対応プログラムＰ２は、非接触ＩＣカードメモリ１６に簡易決済情報が記録されているかどうかを判別し（Ｓ２０１）、簡易決済情報が記録されていればその情報を表示部１７に表示する（Ｓ２０２，簡易決済情報表示手段）。ここでプログラムは表示部１７にプログラムを終了するかどうかを問い合わせる画面を表示し、ユーザから入力を待ち、ユーザからの入力指示が終了か否かの判断をする（Ｓ２０３）。ユーザが終了の旨を選択したと判断すれば（Ｓ２０３でＹＥＳ）プログラムは終了する。
【００２２】
ここでユーザがプログラムを続行することを選択すれば（Ｓ２０３でＮＯ）、続いてその簡易決済情報に該当する電子レシートをダウンロードするかどうかを問い合わせる画面を表示部１７に表示し、ユーザから入力を待ち、ユーザからの入力指示が終了か否かの判断をする（Ｓ２０４）。ユーザが電子レシートをダウンロードすることの旨を選択したと判断した場合（Ｓ２０４でＹＥＳ）、電子レシートダウンロード識別情報から電子レシートをダウンロードするためのＵＲＬを復号し、公衆網接続インターフェース１４を介してインターネット５に接続し、復号されたＵＲＬにアクセスする（Ｓ２０５）。該ＵＲＬは電子レシートサーバ６のサーバ内のアドレスを指し示しており、そこには電子レシートがアップロードされているので、そこから電子レシートをダウンロードし、メモリ１２に一時格納する（Ｓ２０６，電子レシート記録手段）。ダウンロードされた電子レシートはＣＰＵ１１に内容を解析され、その内容は表示部１７に表示する（Ｓ２０７，電子レシート表示手段）。ユーザが内容を確認した旨を入力するまで待ち合わせる（Ｓ２０８）。その後、この電子レシートを携帯端末装置８内に保存するかどうかを問い合わせる画面を表示する（Ｓ２０９）。ユーザが保存する旨を入力したら（Ｓ２１０でＹＥＳ）、該電子レシートは記録部１３に記録される（Ｓ２１１）。その後メモリ１２に一時格納された電子レシートを消去する（Ｓ２１２）。そして、当該電子レシートをダウンロードするために用いた電子レシートダウンロード識別情報及び簡易決済情報を、当該電子レシート対応付けて記録部１３に記録する（Ｓ２１３，簡易決済情報記録手段）。なお、この際、電子レシートダウンロード識別情報及び簡易決済情報を共に記録しなくても、簡易決済情報のみ電子レシートと対応付けて記録するようにしても良い。そして、電子レシートダウンロード識別情報と簡易決済情報を非接触ＩＣカードメモリ１６より消去する（Ｓ２１４）。そしてステップＳ２０１の処理へ戻る。
【００２３】
次に図９の流れ図を使ってＰＯＳ端末装置２の電子決済処理プログラムＰ５の動作の流れを説明する。電子決済処理プログラムＰ５はキャッシャが客の購入商品の登録をＰＯＳ端末装置２で行っている間起動しており、非接触ＩＣカード通信インターフェース２６を介して携帯端末装置８より電子決済の要求が来ているかどうかを判断する（Ｓ３０１）。商品登録後の締め操作が完了していれ（Ｓ３０１でＹＥＳ）ば、商品登録で登録された情報を元に電子決済を行う（Ｓ３０２）。電子決済処理がＰＯＳ端末装置２と携帯端末装置８の双方で終了するまで待ち合わせを行う（Ｓ３０３）。終了したら（Ｓ３０３でＹＥＳ）電子レシート処理プログラムＰ６を起動する（Ｓ３０４）。
【００２４】
続いて図１０の流れ図を使ってＰＯＳ端末装置２の電子レシート処理プログラムＰ６の動作の流れを説明する。電子レシート処理プログラムＰ６が起動されたら、客用表示部３０に携帯端末装置８をＰＯＳ端末装置２の非接触ＩＣカード通信インターフェース２６から離さないように依頼する旨の表示を行う（Ｓ４０１）。これは決済終了後から簡易決済情報を携帯端末装置８に送信するまでの間にタイムラグがあり、決済終了後すぐに客が携帯端末装置８を非接触ＩＣカード通信インターフェース２６から離してしまうと電子レシートダウンロード識別情報や簡易決済情報を送信することができず、電子レシートを電子レシートサーバ６へ送信するのに支障をきたすためである。その表示を行っている間、電子レシートおよび一連の情報生成のための処理を行う。すなわち、先の決済時に登録された商品の情報および決済の情報に基づいて電子レシートに記録されるべき商品名、価格、そして商品情報アクセス情報などを商品データ管理領域から抽出し、電子レシートを生成する（Ｓ４０２）。
【００２５】
さらに電子レシートの情報から決済日時や支払い合計金額などの簡易な情報を抽出して構成される簡易決済情報を生成する（Ｓ４０３）。そして、携帯端末装置８が後で電子レシートサーバ６から電子レシートをダウンロードするために用いる電子レシートダウンロード識別情報を生成する（Ｓ４０４）。このとき電子レシートおよび簡易決済情報は、例えば図１２および図１３に示すようなＸＭＬ（エクステンシブル  マークアップ  ラングウェージ）の形式になっている。このとき、電子レシート内には、商品情報アクセス情報は図１２のＸＭＬデータで言えば、＜商品＞というタグの中にあるｈｒｅｆ＝"ｈｔｔｐ：／／．．．"という情報として記録される。
【００２６】
そしてネットワークインターフェース２４を介して店舗内ＬＡＮ４およびインターネット５に接続し、生成された電子レシートダウンロード識別情報と電子レシートを電子レシートサーバ６に送信する（Ｓ４０５）。そして電子レシートダウンロード識別情報と簡易決済情報とを、非接触ＩＣカード通信インターフェース２６を介して携帯端末装置８に送信して書込む（Ｓ４０６）。携帯端末装置８がそれら情報を受信し終わるまで待ち合わせる（Ｓ４０７）。ここまでの処理が終了した時点（Ｓ４０７でＹＥＳ）で、ステップＳ４０１で客用表示部３０に表示していた携帯端末装置８を非接触ＩＣカード通信インターフェース２６から離さないように依頼する旨の表示を消去し、電子レシート処理プログラムＰ６を終了する（Ｓ４０８）。
【００２７】
次に図１１の流れ図を使ってユーザが携帯端末装置８を使って電子レシートを閲覧し、その電子レシートに記載された商品のデータにアクセスする手順を説明する。ユーザが入力部１８を使って電子レシート閲覧プログラムＰ３を起動する。このように電子レシート閲覧プログラムＰ３が起動されたらまずこれまでに受信して記録部１３に記録している電子レシートに関連するすべての簡易決済情報を一覧表示する（Ｓ５０１，簡易決済情報表示手段）。この一覧表示によりユーザに簡易決済情報の選択を促す。このときの表示部１７の表示例は図１４のように、それまでにダウンロードした電子レシートの簡易決済情報が一覧表示される。また、一覧表示された簡易決済情報の中から入力部１８の入力に追従するカーソルで簡易決済情報を選択できるように表示を行う。
【００２８】
ユーザが簡易決済情報を選択する旨の指示がされたかを判断する（Ｓ５０２）。ここでユーザが所望の簡易決済情報を選択すると（Ｓ５０２でＹＥＳ）、その選択された簡易決済情報に対応した電子レシートが表示部１７に表示される（Ｓ５０３，表示手段）。このときの表示部１７の表示例は図１５のように、ＸＭＬで記録されている電子レシートを解析して紙のレシートと同様のレイアウトで表示し、その中で入力部１８の入力に追従するカーソルで商品名にフォーカスを当てることができる表示を行う。
【００２９】
ここでユーザが適当な商品を選択すると（Ｓ５０４でＹＥＳ）、選択された商品に対してメニューを表示部１７に表示する（Ｓ５０５）。ステップＳ５０４において入力指示された内容が商品選択でない場合（Ｓ５０４でＮＯ）は、ステップＳ５０２の処理に戻る。
【００３０】
ステップＳ５０５の処理の後、ユーザが商品情報を閲覧する選択の旨の指示がされたかを判断する（Ｓ５０６）。ユーザが表示されたメニューの中から商品情報を閲覧するための入力をすると（Ｓ５０６でＹＥＳ）、ステップＳ５０４で選択されている商品に対応する電子レシート内に記録された選択された商品の商品情報アクセス情報（赤ワインの場合ｈｔｔｐ：／／ａｗｉｎｅｃｏｍｐａｎｙ．ｃｏ．ｊｐ／）を抽出する（Ｓ５０７）。
【００３１】
そして、商品情報購入サイト閲覧プログラムＰ４を起動し、商品情報アクセス情報をもとに商品情報サイト（商品情報提供サーバ９）へインターネット５を介してアクセスする（Ｓ５０８）。なお、商品の購入日時を送信する際に、商品を購入した場所も送信するようにしても良い。ステップＳ５０６において指示された内容が商品情報を閲覧するものではないと判断した場合（Ｓ５０６でＮＯ）、ステップＳ５０４の処理に戻る。
【００３２】
商品情報提供サーバ９の上で常時起動されている商品情報ページ提供プログラムＰ８は、ステップＳ５０８での携帯端末装置８のアクセスを受け、ＵＲＬに配置された商品情報ページを携帯端末装置８に対して送信する。このときの携帯端末装置８の表示部１７の表示例は、図１６のように示される。この動作は通常のＷｅｂサーバと同様の動作なので、ここでは詳細な説明は省く。
【００３３】
次に携帯端末装置８のユーザから商品購入サイトにアクセスがあったときの商品情報提供サーバ９が実行する手順を説明する。商品情報提供サーバ９は、インストールされている商品情報送信プログラムＰ８を起動しており、インターネット５を介した携帯端末装置８の表示部１７に表示した購入サイトからのアクセスを待ち受けている。携帯端末装置８からの購入情報閲覧の要求があると、すなわち、表示部１７に表示された購入ページの入力があると、携帯端末装置８から送信された購入サイト閲覧情報と購入日時を示す情報を受信する。
【００３４】
そして、記録部５３から購入サイト閲覧情報に含まれる商品情報アクセス情報と購入日時をもとに推薦する関連商品を抽出する。例えば、赤ワインを購入した場合で、購入した日から４日後に携帯端末装置８からアクセスがあった場合、関連商品として、“コルク抜き”、“ラベルはがしセット”、“ワインＸ７５０ｍｌ”が抽出される。その関連商品を購入するための購入Ｗｅｂページを抽出した情報をもとに構成し、構成したＷｅｂページをアクセスのあった携帯端末装置８へ送信する。
【００３５】
この実施の形態によると、携帯端末装置８は、ＰＯＳ端末装置２との間で決済を行なったときの決済内容を示す電子レシートを、表示部１７に表示した簡易決済情報から所望の決済を選択し、この簡易決済情報と関連付けて記憶された電子レシートダウンロード識別情報をキーとして、電子レシートを電子レシートサーバから受信することができる。このため、一旦自宅に戻り据え置きのパーソナルコンピュータ等を用いなくても、電子レシートを屋外で容易に閲覧することができる。
【００３６】
また、携帯端末装置８は、電子レシートサーバ６からダウンロードした電子レシート上に表示に基づいて、商品情報提供サーバ９にアクセスすることができ、その商品情報提供サーバ９から購入した商品と関連するＷｅｂページを表示部１７に表示することができる。ユーザは、この表示部１７に表示されたＷｅｂページ上から商品情報を容易に閲覧することができる。したがって、ユーザにとっては購入した情報に関連する商品に容易にアクセスすることができ大変便利であり、商品の販売側にとっては商品の販売促進をすることができる。
【００３７】
本実施の形態では装置内部に発明を実施する機能が予め記録されている場合で説明したが、これに限らず同様の機能をネットワークから装置にダウンロードしても良いし、同様の機能を記録媒体に記憶させたものを装置にインストールしても良い。記録媒体としては、ＣＤ−ＲＯＭ等プログラムを記憶でき、かつ、装置が読取り可能な記録媒体であれば、その形態は何れの形態であっても良い。またこのように、予めインストールやダウンロードにより得る機能は装置内部のオペレーティングシステム（ＯＳ）等と協同してその機能を実現させるものであっても良い。
【００３８】
なお、本発明は、上述した実施の形態そのままに限定されるものではなく、実施段階ではその要旨を逸脱しない範囲で構成要素を変形して具体化できるものである。
【図面の簡単な説明】
【００３９】
【図１】本発明の実施の形態におけるネットワーク構成全体を示す構成図。
【図２】同実施の形態における携帯端末装置の要部構成を示すブロック図。
【図３】同実施の形態におけるＰＯＳ端末装置の要部構成を示すブロック図。
【図４】同実施の形態における商品データ管理領域に記録される商品情報の一例を示すテーブル。
【図５】同実施の形態における電子レシートサーバの要部構成を示すブロック図。
【図６】同実施の形態における商品情報提供サーバの要部構成を示すブロック図。
【図７】同実施の形態における電子決済対応プログラムの要部処理手順を示すフローチャート。
【図８】同実施の形態における電子レシート対応プログラムの要部処理手順を示すフローチャート。
【図９】同実施の形態における電子決済処理プログラムの要部処理手順を示すフローチャート。
【図１０】同実施の形態における電子レシート処理プログラムの要部処理手順を示すフローチャート。
【図１１】同実施の形態における電子レシート閲覧プログラムの要部処理手順を示すフローチャート。
【図１２】同実施の形態における電子レシートのデータ形式を示す図。
【図１３】同実施の形態における簡易決済情報のデータ形式を示す図。
【図１４】同実施の形態における携帯端末装置の表示部の表示例を示す図。
【図１５】同実施の形態における携帯端末装置の表示部の表示例を示す図。
【図１６】同実施の形態における携帯端末装置の表示部の表示例を示す図。
【符号の説明】
【００４０】
２…ＰＯＳ端末装置、５…ネットワーク、６…電子レシートサーバ、８…携帯端末装置、９…商品情報提供サーバ、１１，５１…ＣＰＵ、１３，５３…記録部、２３ａ…商品データ管理領域、Ｐ１…電子決済対応プログラム、Ｐ２…電子レシート対応プログラム、Ｐ３…電子レシート閲覧プログラム、Ｐ４…商品購入サイト閲覧プログラム、Ｐ５…電子決済処理プログラム、Ｐ６…電子レシート処理プログラム、Ｐ８…商品情報送信プログラム、Ｐ９…商品発注プログラム
【図１】
2007316749.tif 000003
【図２】
2007316749.tif 000004
【図３】
2007316749.tif 000005
【図４】
2007316749.tif 000006
【図５】
2007316749.tif 000007
【図６】
2007316749.tif 000008
【図７】
2007316749.tif 000009
【図８】
2007316749.tif 000010
【図９】
2007316749.tif 000011
【図１０】
2007316749.tif 000012
【図１１】
2007316749.tif 000013
【図１２】
2007316749.tif 000014
【図１３】
2007316749.tif 000015
【図１４】
2007316749.tif 000016
【図１５】
2007316749.tif 000017
【図１６】
2007316749.tif 000018